(57)【要約】      （修正有）【課題】要支援者の自宅の電話装置から所定の発信時期に、所定の相手に発信して電話を利用した会話や安否確認等のコミュニケーションを行う場合に、複数の発信相手が互いに協力することによりコミュニケーションをより確実に行うことが可能となる電話装置を提供する。【解決手段】通話部Ｈと、時間計測部Ｌと、複数の相手の接続情報と発信時期情報を記憶する記憶部Ｍと、記憶された発信時期情報に従って所定の発信時期に所定の相手に対し発信する発信部Ｔを備え、発信部Ｔは、発信後において、所定期間内にその発信相手の応答がない場合に、その相手に対する発信に代えて、記憶部Ｍに記憶されている別の発信相手に対し発信する。【選択図】図２
0003168984.tif 000002
【実用新案登録請求の範囲】
【請求項１】
受話部及び送話部と、
現在の時刻又は日時を特定する現在時特定部と、
所定の複数の相手についての接続情報と、前記相手に対する発信時期情報を記憶する記憶部と、
通信網を介して相手を呼び出すために、現在時特定部において特定される現在の時刻又は日時に基づき、記憶部に記憶された発信時期情報に従って所定の発信時期に所定の相手に対し発信する発信部を備え、
前記発信部は、発信後において、所定期間内にその発信相手の応答がない場合に、その相手に対する発信に代えて、記憶部に記憶されている別の相手に対し発信するものであることを特徴とする電話装置。
【請求項２】
上記別の相手が、各発信時期について予め特定されている請求項１記載の電話装置。
【請求項３】
上記別の相手が３以上であり、
発信後において、所定期間内にその発信相手の応答がない場合に、その相手に対する発信に代えて、記憶部に記憶されている別の相手に対し発信し、所定期間内にその別の発信相手の応答がない場合に、順次別の相手に対し発信するものであり、各発信時期について、別の相手に対する発信順序が予め特定されている請求項１記載の電話装置。
【請求項４】
発信者の情報を送信する発信者情報送信部を有する請求項１乃至３の何れか１項に記載の電話装置。
【請求項５】
テレビ電話機能部を有する請求項１乃至４の何れか１項に記載の電話装置。
【請求項６】
受話部及び送話部と、
現在の時刻又は日時を特定する現在時特定部と、
所定の複数の相手についての接続情報と、前記相手に対する発信時期情報を記憶する記憶部と、
通信網を介して相手を呼び出すために、現在時特定部において特定される現在の時刻又は日時に基づき、記憶部に記憶された発信時期情報に従って所定の発信時期に所定の相手に対し発信する発信部を備え、
前記発信時期情報において、何れかの発信時期における発信の相手と、別の何れかの発信時期における発信の相手が相違することを特徴とする電話装置。
【請求項７】
上記発信部は、発信後において、所定期間内にその発信相手の応答がない場合に、その相手に対する発信に代えて、記憶部に記憶されている別の相手に対し発信するものである請求項６記載の電話装置。
【請求項８】
上記別の相手が、各発信時期について予め特定されている請求項７記載の電話装置。
【請求項９】
上記別の相手が３以上であり、
発信後において、所定期間内にその発信相手の応答がない場合に、その相手に対する発信に代えて、記憶部に記憶されている別の相手に対し発信し、所定期間内にその別の発信相手の応答がない場合に、順次別の相手に対し発信するものであり、各発信時期について、別の相手に対する発信順序が予め特定されている請求項７記載の電話装置。
【請求項１０】
発信者の情報を送信する発信者情報送信部を有する請求項６乃至９の何れか１項に記載の電話装置。
【請求項１１】
テレビ電話機能を有する請求項６乃至１０の何れか１項に記載の電話装置。
【考案の詳細な説明】
【技術分野】
【０００１】
本考案は、所定の日時に所定の相手に対し発信することができる電話装置に関する。
【背景技術】
【０００２】
特許第２９２１７７５号公報には、時刻あるいは所定時間を計測する計測部と、固有の個人認識番号と定時発信コマンドと所定の相手の電話番号とを記憶する記憶部と、回線の捕捉および切断を行うフック制御部と、前記計測部により計測された時刻あるいは所定時間毎に前記記憶部に記憶されている所定の相手の電話番号を自動発信するダイヤル送出回路と、相手の電話機のオフフックを検出する極性反転検出部と、前記記憶部に記憶されている個人認識番号および定時発信コマンドを送信する送信部と、送話および受話のための受話器と、受話器に内蔵された内蔵マイクロホンと、受話器に内蔵された内蔵スピーカと、受話のためのスピーカと、内蔵マイクロホンからの信号を増幅するマイクアンプと、内蔵スピーカおよびスピーカを駆動するアンプと、これらを制御するとともに、相手先よりオンフックコマンドを受信すると前記フック制御部に回線を切断させるよう制御する演算制御部とを備え、所定時刻あるいは所定時間毎に所定の相手の電話機に自動発信し、所定の相手と通話できる構成としたことを特徴とする電話機が開示されている。
【０００３】
この電話機を用いれば、例えば回線の検査に要する手数を良好に軽減でき、回線不良を迅速かつ確実に察知できることから、緊急時に通信不能となる恐れを良好に軽減できるなどの優れた効果を奏する。また、当該電話機が在宅患者宅に設置され、自動発信の相手が、在宅医療機関などである場合には、毎日一定時刻における在宅患者の病状を知る必要に対して、前記所定時刻あるいは所定時間毎に自動的に発信して対応できる。患者からの自動発信を受けると、在宅医療機関のオペレータが当該患者に対して病状を問い合わせ、在宅患者が応答し病状について答えることができる。このようにして、在宅医療機関は、定期的に在宅患者の病状について確認することができるので、在宅患者の病状の変化などの状況を常に把握でき、医療機関が患者宅へ緊急に出動したり、在宅患者側でも的確な対応をとれるなどの効果を奏する。さらに、当該電話機は、発信相手に自動発信するので、発信者は受話器に触れることなく、発信相手と通話することができる。また、通話終了時には、発信相手からのオンフック操作により、回線を切断するので、受話器に触れることなく回線断が行える。このようにして、在宅患者が、受話器を取れないような重症の場合であっても、在宅患者と在宅医療機関との間で確実に通話が行えるので、緊急の対応が容易になるという効果を奏する。
【０００４】
この電話機は、一定の在宅医療機関に対し毎日一定時刻に発信するものであり、これに対し、在宅医療機関のオペレータが応答して在宅患者の安否確認や在宅患者との通話を行うことができるものであるから、在宅医療機関に代わって、例えば地域のボランティア等が、在宅患者や在宅要介助者等の要支援者や電話を利用した会話等のコミュニケーションを始めとする支援を行おうとすると、所定の発信時期に自宅或いは地域のコミュニティセンター等の一定の場所において要支援者の発信を待たなければならず、仕事や日常生活、或いは支援者自身に生じ得る急用等との関係で支援者にとって過度な負担となりかねないという課題があった。
【先行技術文献】
【特許文献】
【０００５】
【特許文献１】特許第２９２１７７５号公報
【考案の概要】
【考案が解決しようとする課題】
【０００６】
本考案は、従来技術におけるこのような課題に鑑み行われたものであって、在宅患者や在宅要介助者等の要支援者の自宅又はその他の場所の電話装置から所定の発信時期（例えば、毎日一定の時刻、基準時刻から所定時間経過時毎など）に、所定の相手に発信して電話を利用した会話や安否確認等のコミュニケーションを行う場合に、支援者である地域のボランティア等の複数の発信相手が互いに協力することにより、所定の発信時期に会話や安否確認等のコミュニケーションをより確実に行うことが可能となる電話装置を提供することを目的とする。
【課題を解決するための手段】
【０００７】
(1) 上記目的を達成する本考案の電話装置は、
受話部及び送話部と、
現在の時刻又は日時を特定する現在時特定部と、
所定の複数の相手についての接続情報と、前記相手に対する発信時期情報を記憶する記憶部と、
通信網を介して相手を呼び出すために、現在時特定部において特定される現在の時刻又は日時に基づき、記憶部に記憶された発信時期情報に従って所定の発信時期に所定の相手に対し発信する発信部を備え、
前記発信部は、発信後において、所定期間内にその発信相手の応答がない場合に、その相手に対する発信に代えて、記憶部に記憶されている別の相手に対し発信するものであることを特徴とする。
【０００８】
発信部は、通信網を介して相手を呼び出すために、現在時特定部において特定される現在の時刻又は日時に基づき、記憶部に記憶された発信時期情報に従って所定の発信時期に所定の相手に対し発信する。所定の相手は、一定であってもよく発信時期に応じて複数の相手のうち何れかが所定の相手として特定されているものとすることもできる。
【０００９】
発信後において、所定期間内にその発信相手の応答がない場合、発信部は、最初の相手に対する発信に代えて、記憶部に記憶されている別の相手に対し発信する。
【００１０】
従って、所定の発信時期において、何らかの事情により所定の相手の応答が所定期間内にない場合でも、記憶部に記憶されている別の相手に対し発信することにより、別の相手が発信者からの発信に応答することが可能となる。
【００１１】
(1-1) 上記電話装置は、別の相手が、各発信時期について予め特定されているものとすることができる。
【００１２】
上記別の相手は、各発信時期について予め特定されているものとすることができる。
【００１３】
(1-2) また上記電話装置は、上記別の相手が３以上であり、
発信後において、所定期間内にその発信相手の応答がない場合に、その相手に対する発信に代えて、記憶部に記憶されている別の相手に対し発信し、所定期間内にその別の発信相手の応答がない場合に、順次別の相手に対し発信するものであり、各発信時期について、別の相手に対する発信順序が予め特定されているものとすることができる。
【００１４】
上記別の相手が３以上であり、発信後において、所定期間内にその発信相手の応答がない場合に、その相手に対する発信に代えて、記憶部に記憶されている別の相手に対し発信し、所定期間内にその別の発信相手の応答がない場合に、順次別の相手に対し発信する。
【００１５】
各発信時期について、別の相手に対する発信順序は、予め特定されている。例えばＡ、Ｂ、Ｃの３者のうち、Ａのみが常に第１の発信相手であり、発信時期毎に、第２の発信相手がＢで第３の発信相手Ｃ、或いは第２の発信相手がＣで第３の発信相手がＢと定められている場合や、発信時期に応じ、第１の発信相手、第２の発信相手及び第３の発信相手が定められている場合があり得る。
【００１６】
(1-3) 上記電話装置は、発信者の情報を送信する発信者情報送信部を有するものとすることができる。
【００１７】
発信者情報送信部が相手方の装置に対し電話番号や識別コードや名前等の発信者情報を送信することにより、相手方は、発信者の電話番号や識別コードや名前等の発信者情報を、表示装置に表示し又は読み上げ装置により読み上げることにより知ることができる。
【００１８】
(1-4) 上記電話装置は、テレビ電話機能部を有するものとすることができる。
【００１９】
テレビ電話機能を有することにより、応答した相手は発信者の表情や様子を視覚的に確認することが可能であると共に、手話や身振り手振りによるコミュニケーションも可能である。
【００２０】
(2) また本考案の電話装置は、
受話部及び送話部と、
現在の時刻又は日時を特定する現在時特定部と、
所定の複数の相手についての接続情報と、前記相手に対する発信時期情報を記憶する記憶部と、
通信網を介して相手を呼び出すために、現在時特定部において特定される現在の時刻又は日時に基づき、記憶部に記憶された発信時期情報に従って所定の発信時期に所定の相手に対し発信する発信部を備え、
前記発信時期情報において、何れかの発信時期における発信の相手と、別の何れかの発信時期における発信の相手が相違することを特徴とする。
【００２１】
発信部は、通信網を介して相手を呼び出すために、現在時特定部において特定される現在の時刻又は日時に基づき、記憶部に記憶された発信時期情報に従って所定の発信時期に所定の相手に対し発信する。所定の相手は、一定ではなく、何れかの発信時期における発信の相手と、別の何れかの発信時期における発信の相手は相違する。例えば、曜日に応じて所定の相手を定めることや、一日に複数回発信する場合は発信時刻に応じて所定の相手を定めることができる。
【００２２】
従って、複数の発信相手が互いに協力して発信者からの発信に対する応答を務めることができる。
【００２３】
(2-1) 上記発信部は、発信後において、所定期間内にその発信相手の応答がない場合に、その相手に対する発信に代えて、記憶部に記憶されている別の相手に対し発信するものとすることができる。
【００２４】
発信後において、所定期間内にその発信相手の応答がない場合、発信部は、最初の相手に対する発信に代えて、記憶部に記憶されている別の相手に対し発信する。
【００２５】
従って、所定の発信時期において、何らかの事情により所定の相手の応答が所定期間内にない場合でも、記憶部に記憶されている別の相手に対し発信することにより、別の相手が発信者からの発信に応答することが可能となる。
【００２６】
(2-2) 上記電話装置は、上記別の相手が、各発信時期について予め特定されているものとすることができる。
【００２７】
上記別の相手は、各発信時期について予め特定されているものとすることができる。
【００２８】
(2-3) 上記電話装置は、上記別の相手が３以上であり、
発信後において、所定期間内にその発信相手の応答がない場合に、その相手に対する発信に代えて、記憶部に記憶されている別の相手に対し発信し、所定期間内にその別の発信相手の応答がない場合に、順次別の相手に対し発信するものであり、各発信時期について、別の相手に対する発信順序が予め特定されているものとすることができる。
【００２９】
上記別の相手が３以上であり、発信後において、所定期間内にその発信相手の応答がない場合に、その相手に対する発信に代えて、記憶部に記憶されている別の相手に対し発信し、所定期間内にその別の発信相手の応答がない場合に、順次別の相手に対し発信する。各発信時期について、別の相手に対する発信順序は、予め特定されている。例えばＡ、Ｂ、Ｃの３者が記憶部に記憶されている場合、発信時期に応じ、第１の発信相手、第２の発信相手及び第３の発信相手が定められている。
【００３０】
(2-4) 上記電話装置は、発信者の情報を送信する発信者情報送信部を有するものとすることができる。
【００３１】
発信者情報送信部が相手方の装置に対し電話番号や識別コードや名前等の発信者情報を送信することにより、相手方は、発信者の電話番号や識別コードや名前等の発信者情報を、表示装置に表示し又は読み上げ装置により読み上げることにより知ることができる。
【００３２】
(2-5) 上記電話装置は、テレビ電話機能を有するものとすることができる。
【００３３】
テレビ電話機能を有することにより、応答した相手は発信者の表情や様子を視覚的に確認することが可能であると共に、手話や身振り手振りによるコミュニケーションも可能である。
【考案の効果】
【００３４】
本考案の電話装置によれば、所定の発信時期において、何らかの事情により所定の相手の応答が所定期間内にない場合でも、記憶部に記憶されている別の相手に対し発信することにより、別の相手が発信者からの発信に応答することが可能となる。
【００３５】
よって、例えば、在宅患者や在宅要介助者等の要支援者の自宅又はその他の場所の電話装置から所定の発信時期（例えば、毎日一定の時刻、基準時刻から所定時間経過時毎など）に、所定の相手に発信して電話を利用した会話や安否確認等のコミュニケーションを行う場合に、支援者である地域のボランティア等の複数の発信相手が互いに予備的な応答者として協力することにより、所定の発信時期に会話や安否確認等のコミュニケーションをより確実に行うことが可能となる。
【００３６】
また本考案の別の電話装置によれば、発信部は、通信網を介して相手を呼び出すために、現在時特定部において特定される現在の時刻又は日時に基づき、記憶部に記憶された発信時期情報に従って所定の発信時期に所定の相手に対し発信する。所定の相手は、一定ではなく、何れかの発信時期における発信の相手と、別の何れかの発信時期における発信の相手は相違する。例えば、曜日に応じて所定の相手を定めることや、一日に複数回発信する場合は発信時刻に応じて所定の相手を定めることができる。従って、複数の発信相手が互いに協力して発信者からの発信に対する応答を務めることができる。
【００３７】
よって、例えば、在宅患者や在宅要介助者等の要支援者の自宅又はその他の場所の電話装置から所定の発信時期（例えば、毎日一定の時刻、基準時刻から所定時間経過時毎など）に、所定の相手に発信して電話を利用した会話や安否確認等のコミュニケーションを行う場合に、地域のボランティア等の複数の発信相手が互いに協力して、所定の発信時期に会話や安否確認等のコミュニケーションを行うことが可能となる。
【図面の簡単な説明】
【００３８】
【図１】本考案の電話装置を発信に用いた全体システムの概略図である。
【図２】本考案の電話装置のブロック図である。
【図３】本考案の電話装置の動作フロー図である。
【考案を実施するための形態】
【００３９】
(1) 本考案の実施の形態を、図面を参照しつつ説明する。図面は何れも本考案の実施の形態の一例に関するものである。
【００４０】
図１に示されるように、発信者Ｓ（発信者１、発信者２、発信者３．．．．）である在宅患者や在宅要介助者等の要支援者と、支援者である地域のボランティア等の発信相手Ｒ（相手１、相手２、相手３．．．．）が、通信網Ｎを介して通話及びデータの送受信等を行うことができる。
【００４１】
(2) 本考案の電話装置の構成の概要を、図２を参照しつつ説明する。
【００４２】
制御部Ｃは、周辺機器等の制御及び各種データの読み書きなどの処理を行うＣＰＵ（中央処理装置）、ＲＡＭ、周辺機器等の制御などのためのプログラム及び各種データが書き込まれたＲＯＭ、並びに周辺機器等との接続のための入出力インターフェイスなどからなる。
【００４３】
通話部Ｈは、送受話器と、スピーカー、マイク、増幅部等の必要機器及び電子回路等を備えたハンズフリー通話部を備える。送受話器による通話とハンズフリー通話部による通話の切り替え等は、制御部Ｃにより制御される。
【００４４】
時間計測部Ｌは、時間計測データを制御部Ｃに対し出力し、制御部Ｃにおいて、時間計測データに基づき日時や基準時からの時間経過等を算出して現在時を特定する。
【００４５】
記憶部Ｍは、３つの相手についての電話番号と、それらの相手に対する発信時期情報を記憶する。
【００４６】
発信時期情報は、毎日の一定時刻である。最初に発信する相手（第１の発信相手Ｒ）は、日に応じて特定されており、毎日同一ではない（尤も、毎日同一とすることもできる。）。
【００４７】
記憶部Ｍは、所定発信時期における最初の発信後において、所定時間内にその発信相手Ｒの応答（オフフック）がない場合に、その相手に対する発信に代えて発信する別の相手（第２の発信相手Ｒ）、及び、第２の発信相手Ｒに対する発信後において、所定時間内にその発信相手Ｒの応答がない場合に、その相手に対する発信に代えて発信する別の相手（第３の発信相手Ｒ）を記憶している。
【００４８】
発信部Ｔは、通信網Ｎを介して相手を呼び出すために、制御部Ｃの制御によって、現在時特定部において特定される現在の時刻又は日時に基づき、記憶部Ｍに記憶された発信時期情報に従って所定の発信時期に所定の相手に対し発信する。
【００４９】
また、発信部Ｔは、発信後において、所定時間内にその発信相手Ｒの応答がない場合に、制御部Ｃの制御により、その相手に対する発信に代えて、記憶部Ｍに記憶されている別の相手に対し発信する。
【００５０】
第１の発信相手Ｒから第３の発信相手Ｒまでの発信に対し所定時間内に発信相手Ｒの応答が何れもない場合、制御部Ｃは、第１の発信相手Ｒから第３の発信相手Ｒまでの発信順序を繰り返すよう制御する。３度繰り返しても応答がない場合、制御部Ｃはその発信時期の発信を終了する。
【００５１】
発信に対し所定時間内に発信相手Ｒの応答があった場合において、その発信から所定の時間を経過した場合には、制御部Ｃは、フック制御部Ｆを制御してオンフック状態とし、その所定の発信時期における動作を終了する。
【００５２】
所定の発信時期において発信部Ｔが第１の発信相手Ｒ又はその他の何れかの相手に発信した結果、何れかの相手からの応答があった場合は、発信部Ｔはその発信時期においてそれ以降の発信は何れの相手に対しても行わないように制御部Ｃによって制御される。
【００５３】
発信者情報送信部Ｉは、電話番号、各種識別コード等の発信者Ｓの情報を送信するものであり、制御部Ｃにより制御される。
【００５４】
テレビ電話機能部は、動画と音声を双方向でやり取りするためのものである。ＣＣＤカメラ液晶ディスプレイ、動画信号処理部等を備え、制御部Ｃにより制御される。
【００５５】
フック状態検知部Ｅは、相手の電話装置がオフフック状態からオンフック状態となったことを、極性反転等を検出することにより検知するものである。
【００５６】
ブック制御部Ｆは、発信時にオフフック状態とし、相手の電話装置がオフフック状態からオンフック状態となったことを検知することにより、或いは相手が応答（オフフック）してから所定時間を経過することにより、自動的にオンフック状態とするものであり、制御部Ｃにより制御される。
【００５７】
表示部Ｄは、相手の電話番号、相手の氏名若しくは名称、相手を示すコード、現在日時等、或いはその他の情報を、記憶部Ｍの記憶内容又は相手から受信するデータ等に基づき液晶ディスプレイ装置により表示するものであり、制御部Ｃにより制御される。
【００５８】
(3) 電話装置の動作の概略を説明する。
【００５９】
ステップＳ１において、制御部Ｃは、時間計測部Ｌから入力した時間計測データにより特定された現在の日時と、記憶部Ｍに記憶されている発信時期情報に基づき、所定発信日時に達したかを判定する。
【００６０】
所定発信日時に達したならば（Ｓ１−Ｙ）、制御部Ｃに設定された数値ｎを１とする（Ｓ２）。
【００６１】
ステップＳ３において、ｎ＝４の場合（Ｓ３−Ｙ）、ステップＳ１に戻る。ｎ＝４でない場合（Ｓ３−Ｎ）、ステップＳ４に進む。
【００６２】
ステップＳ４において、制御部Ｃの指令により、ブック制御部Ｆがオフフック状態とし、発信部Ｔがその所定日時の第１の発信相手Ｒに発信する。
【００６３】
第１の発信相手Ｒへの発信後、所定時間内に発信相手Ｒの応答（オフフック）があったことをフック状態検知部Ｅが検知した場合において（Ｓ５−Ｙ）、その応答から所定時間が経過した場合（Ｓ６−Ｙ）又は相手の電話装置がオフフック状態からオンフック状態となったことをフック状態検知部Ｅが検知した場合（Ｓ７−Ｙ）、制御部Ｃの指令によりブック制御部Ｆがオンフック状態し、ステップＳ１に戻る。
【００６４】
第１の発信相手Ｒへの発信後、所定時間内に発信相手Ｒの応答（オフフック）があったことをフック状態検知部Ｅが検知しなかった場合（Ｓ５−Ｎ）、制御部Ｃの指令により、ブック制御部Ｆがオンフックとした後、オフフック状態とし、発信部Ｔがその所定日時の第２の発信相手Ｒに発信する（Ｓ９）。
【００６５】
第２の発信相手Ｒへの発信後、所定時間内に発信相手Ｒの応答（オフフック）があったことをフック状態検知部Ｅが検知した場合において（Ｓ１０−Ｙ）、その応答から所定時間が経過した場合（Ｓ６−Ｙ）又は相手の電話装置がオフフック状態からオンフック状態となったことをフック状態検知部Ｅが検知した場合（Ｓ７−Ｙ）、制御部Ｃの指令によりブック制御部Ｆがオンフック状態し、ステップＳ１に戻る。
【００６６】
第２の発信相手Ｒへの発信後、所定時間内に発信相手Ｒの応答（オフフック）があったことをフック状態検知部Ｅが検知しなかった場合（Ｓ１０−Ｎ）、制御部Ｃの指令により、ブック制御部Ｆがオンフックとした後、オフフック状態とし、発信部Ｔがその所定日時の第３の発信相手Ｒに発信する（Ｓ１１）。
【００６７】
第３の発信相手Ｒへの発信後、所定時間内に発信相手Ｒの応答（オフフック）があったことをフック状態検知部Ｅが検知した場合において（Ｓ１２−Ｙ）、その応答から所定時間が経過した場合（Ｓ６−Ｙ）又は相手の電話装置がオフフック状態からオンフック状態となったことをフック状態検知部Ｅが検知した場合（Ｓ７−Ｙ）、制御部Ｃの指令によりブック制御部Ｆがオンフック状態し、ステップＳ１に戻る。
【００６８】
第３の発信相手Ｒへの発信後、所定時間内に発信相手Ｒの応答（オフフック）があったことをフック状態検知部Ｅが検知しなかった場合（Ｓ１２−Ｎ）、制御部Ｃに設定された数値ｎに１を加え（Ｓ１３）、ステップＳ３に戻る。
【００６９】
ステップＳ３においてｎ＝４の場合（Ｓ３−Ｙ）、すなわち第１の発信相手Ｒから第３の発信相手Ｒまでの発信を３回にわたり繰り返しても所定時間内に発信相手Ｒの応答がない場合はステップＳ１に戻り、その発信日時における発信は終了する。
【００７０】
(4) 本考案の電話装置は、受話部及び送話部を備えた通話部と、現在時特定部と、記憶部と、発信部と、制御部を備える他、必要に応じ、ハンズフリー通話部、発信者情報送信部若しくはデータ送信部、表示部、テレビ電話機能部、回線切断部、フック制御部、フック状態検知部等を備える。
【００７１】
本考案の電話装置として好ましいのは、商用交流等の一般の電源が停電となっても使用可能な電話回線であるか、停電時の代替電源を備えたものである。
【００７２】
(5) 通話部における受話部及び送話部は、それらが一体化した送受話器とすることができる他、別体とすることもできる。
【００７３】
通話部が必要に応じ有し得るハンズフリー通話部は、スピーカー、マイク、増幅部等の必要機器及び電子回路等を備える。送受話器による通話とハンズフリー通話部による通話の切り替え等は、制御部により制御されるものとすることができる。
【００７４】
(6) 現在時特定部は、時間計測部の出力に基づき、制御部において日時や基準時からの時間経過等を特定するものとすることができるほか、例えば、日時情報を発信する電波やインターネット等を介して取得できる日時情報等の外部情報に基づき日時や基準時からの時間経過等を特定するものとすることもできる。
【００７５】
(7) 記憶部は、少なくとも、所定の複数の相手についての接続情報と、それらの相手に対する発信時期情報を記憶するものである。
【００７６】
接続情報の例としては、電話番号の他、各種識別コード、ＩＰアドレス等を挙げることができる。
【００７７】
発信時期情報としては、例えば、毎日の一定時刻（単一時刻又は複数時刻）、毎週の曜日毎に定められた一定時刻、毎週所定曜日のみの一定時刻、毎月の日毎に定められた一定時刻、毎月所定日のみの一定時刻、所定日時、基準時刻又は日時から所定時間（所定時間は一定であってもよく複数種であってもよい）経過時毎等を挙げることができる。
【００７８】
相手に対する発信時期情報は、例えば、最初に発信する相手（第１の相手）を一定とすること、又は、最初に発信する相手（第１の相手）が一定ではなく発信時期に応じて特定されているものとすることができる。
【００７９】
記憶部は、所定発信時期における最初の発信後において、所定期間内にその発信相手の応答がない場合に、その相手に対する発信に代えて発信する別の相手（第２の相手）、或いは、第２の相手に対する発信後において、所定期間内にその発信相手の応答がない場合に、その相手に対する発信に代えて発信する別の相手（第３の相手）、或いは同様に第４以降の相手を記憶するものとすることができる。第２の相手又は第３以降の相手については、例えば、最初の発信相手が一定である場合に第２以降の相手が一定の順序に定まっているものとすること、或いは、発信時期に応じて、又は、直前の相手（第２の相手の場合は第１の相手）に応じて定めた相手を記憶するものとすることができる。所定発信時期において既に発信された相手に対し２度又はそれ以上にわたり発信することも可能である。第１の相手から第２又はそれ以降の相手に対する発信順序を２度又は３度以上繰り返すこともできる。
【００８０】
(8) 発信部は、通信網を介して相手を呼び出すために、現在時特定部において特定される現在の時刻又は日時に基づき、記憶部に記憶された発信時期情報に従って所定の発信時期に所定の相手に対し発信する。
【００８１】
また、発信部は、発信後において、所定期間内にその発信相手の応答（例えばオフフック、音声若しくはその他の信号の送出）がない場合に、その相手に対する発信に代えて、記憶部に記憶されている別の相手に対し発信するものとすることができ、その別の発信相手は、記憶部における記憶内容により特定されるものとすることができる。所定期間内というのは、例えば、最初の発信から所定時間の経過、周期的事象の所定回数発生、所定事象の発生若しくは停止、回線未接続（話中）の場合に同じ相手に再発信するものとした場合に所定回数再発信した場合等を挙げることができる。
【００８２】
また発信部は、第１の相手から第２又はそれ以降の相手に対する発信順序を２度又は３度以上繰り返すこともできる。
【００８３】
所定の発信時期において発信部が所定の発信（例えば所定の複数の相手に対する発信、所定の複数の相手に対する所定回数の発信等）を行っても応答がない場合や、所定の時間（例えば第１の相手に対する発信からの所定時間の経過、）を経過した場合等においては、その所定の発信時期における発信を中止するものとすることができる。
【００８４】
所定の発信時期において発信部が第１の発信相手又はその他の何れかの相手に発信した結果、何れかの相手からの応答があった場合は、発信部はその発信時期においてそれ以降の発信は何れの相手に対しても行わない。
【００８５】
これらの発信部による発信及び発信中止等は、制御部により制御されるものとすることができる。
【００８６】
なお、通信網としては、固定電話を接続する基本的な電話網である公衆交換電話網、携帯電話等の移動体通信網、インターネット等を例示することができる。
【００８７】
(9) 発信者情報送信部は、発信者の情報を送信するものとすることができる。発信者の情報としては、例えば、電話番号、各種識別コード、ＩＰアドレス等を挙げることができる。
【００８８】
データ送信部は、発信者の情報並びにその他のデータを措信するものとすることができる。
【００８９】
発信者情報送信部又はデータ送信部による発信者情報又はその他のデータの送信は、制御部により制御されるものとすることができる。
【００９０】
(10) テレビ電話機能部は、動画と音声を双方向でやり取りするためのものであり、ＣＣＤカメラ等の動画撮影部、液晶ディスプレイ等の動画表示部、動画信号処理部等を備えるものとすることができる。テレビ電話機能部は、制御部により制御されるものとすることができる。
【００９１】
(11) フック状態検知部は、相手の電話装置がオフフック状態からオンフック状態となったことを、例えば極性反転を検出することにより検知するものである。
【００９２】
(12) 回線切断部は、例えば、相手の電話装置が回線接続状態から回線切断状態となったことを検知することにより、或いは相手が応答（例えばオフフック、音声若しくはその他の信号の送出）してから所定時間を経過することにより、自動的に回線を切断するものとすることができる。回線切断部は、制御部により制御されるものとすることができる。
【００９３】
(13) フック制御部は、発信時にオフフック状態とし、また、例えば、相手の電話装置がオフフック状態からオンフック状態となったことを検知することにより、或いは相手が応答（例えばオフフック、音声若しくはその他の信号の送出）してから所定時間を経過することにより、自動的にオンフック状態とするものとすることができる。フック制御部は、制御部により制御されるものとすることができる。
【００９４】
(14) 表示部は、相手の電話番号、相手の氏名若しくは名称、相手を示すコード、現在日時等、或いはその他の情報を、液晶、ＬＥＤ、有機ＥＬ等の各種ディスプレイ装置により表示するものとすることができる。表示部は、制御部により制御されるものとすることができる。
【符号の説明】
【００９５】
Ｃ  制御部
Ｄ  表示部
Ｅ  フック状態検知部
Ｆ  フック制御部
Ｈ  通話部
Ｉ  発信者情報送信部
Ｌ  時間計測部
Ｍ  記憶部
Ｎ  通信網
Ｒ  発信相手
Ｓ  発信者
Ｔ  発信部
【図１】
0003168984.tif 000003
【図２】
0003168984.tif 000004
【図３】
0003168984.tif 000005